(57)【要約】【課題】取り付け作業の簡素化及び施工コストの低減化を図る。【解決手段】  本発明に係るＬＥＤ照明取付構造は、建築物の天井スペースに配設されるレースウェイ１１の下面に沿うように面状のＬＥＤ照明モジュール１３を所定間隔で取り付けることを特徴とし、前記レースウェイ１１は、開口面１２が下方を向くように取り付けられる逆樋状のレースウェイ本体１４と、開口面１２を閉塞可能なようにレースウェイ本体１４に着脱可能に取り付けられる蓋部材１５と、を備え、前記ＬＥＤ照明モジュール１３は、蓋部材１５の下面側に貼付されるのが好ましい。【選択図】図１
2015173090.tif 000002
【特許請求の範囲】
【請求項１】
建築物の天井スペースに配設されるレースウェイの下面に沿うように面状のＬＥＤ照明モジュールを所定間隔で取り付けることを特徴とするＬＥＤ照明取付構造。
【請求項２】
前記レースウェイは、開口面が下方を向くように取り付けられる逆樋状のレースウェイ本体と、該開口面を閉塞可能なように該レースウェイ本体に着脱可能に取り付けられる蓋部材と、を備え、前記ＬＥＤ照明モジュールは、前記蓋部材の下面側に貼付されることを特徴とする請求項１に記載のＬＥＤ照明取付構造。
【請求項３】
前記蓋部材と、該蓋部材に貼付される前記ＬＥＤ照明モジュールと、該ＬＥＤ照明モジュールに電気的に接続されると共に前記蓋部材を貫通する電線と、該蓋部材の裏面側において該電線の先端に接続されるコネクタと、が予め組み付けられてユニット化されていることを特徴とする請求項２に記載のＬＥＤ照明取付構造。
【請求項４】
前記ＬＥＤ照明モジュールは金属板から成る基板の表面に複数のＬＥＤチップを実装したチップオンボード方式により形成されていることを特徴とする請求項１〜３のいずれか１の請求項に記載のＬＥＤ照明取付構造。
【請求項５】
前記ＬＥＤ照明モジュールの表面側は防水性を有する樹脂によりコーティングされていることを特徴とする請求項４に記載のＬＥＤ照明取付構造。
【請求項６】
前記基板の少なくとも裏面を密着させた状態で該基板を収容可能な金属製ケースを備え、前記ＬＥＤ照明モジュールは該金属製ケースを介して前記レースウェイに取り付けられることを特徴とする請求項４又は５に記載のＬＥＤ照明取付構造。
【請求項７】
前記金属製ケースには、該金属製ケースに収容された前記ＬＥＤ照明モジュールの表面側を覆うカバーを取り付け可能な係合部が設けられていることを特徴とする請求項６に記載のＬＥＤ照明取付構造。
【請求項８】
複数の前記ＬＥＤ照明モジュールを有するエリア毎に電源装置を設け、該電源装置は直流５０Ｖ以下の電圧に変換して前記同一エリア内の前記各ＬＥＤ照明モジュールに電力を供給するように構成されていることを特徴とする請求項１〜７のいずれかの請求項に記載のＬＥＤ照明取付構造。
【請求項９】
前記エリアは、複数の前記ＬＥＤ照明モジュールを有する少なくとも１つのブロックを有し、前記電源装置は該ブロック毎に照度調整可能な手段を備えている請求項８に記載のＬＥＤ照明取付構造。
【請求項１０】
前記ＬＥＤ照明モジュールはそれぞれ定電流回路を備えていることを特徴とする請求項１〜９のいずれかの請求項に記載のＬＥＤ照明取付構造。
【請求項１１】
前記蓋部材の下面側には平行な２本のレールが突設され、該各レールの間に前記ＬＥＤ照明モジュールが挿入可能となっていることを特徴とする請求項２〜１０のいずれかの請求項に記載のＬＥＤ照明取付構造。
【請求項１２】
細霧冷房装置の配管を前記レースウェイ本体の内部に配設し、該配管に接続される噴霧ノズルを前記蓋部材に貫設することを特徴とする請求項２〜１１のいずれかの請求項に記載のＬＥＤ照明取付構造。
【発明の詳細な説明】
【技術分野】
【０００１】
本発明は、建築物の天井スペースに配設されるレースウェイにＬＥＤ照明を取り付けるためのＬＥＤ照明取付構造に関するものである。
【背景技術】
【０００２】
一般に、駐車場や倉庫や工場等の建築物において、天井スペースに照明器具を取り付けるためにレースウェイが使用されている。従来、この種のレースウェイに取り付けられる照明器具は、ハウジングや反射板等の構成部材を備え、専用の金具等を使用してレースウェイの下方に固定される（例えば、特許文献１又は２参照）。
【先行技術文献】
【特許文献】
【０００３】
【特許文献１】特開２０１３−１４０７７３号公報
【特許文献２】特開２００９−２２４１５８号公報
【発明の概要】
【発明が解決しようとする課題】
【０００４】
しかしながら、上記した従来の取付構造では、照明器具をレースウェイに取り付けるために専用の金具等が必要となるため、取り付け作業に手間が掛かり、施工コストの低減化を図り難いという問題がある。
【０００５】
また、照明器具はレースウェイの下方に固定されるため、レースウェイを十分に高い位置に取り付けないと室内の高さを十分に確保することができず、駐車場内における車両の走行中或いは倉庫や工場における作業中等に、照明器具のハウジングや反射板等が障害となる虞があるという問題も生じている。
【０００６】
さらに、照明器具の電源としては、主にＡＣ１００又は２００Ｖの電圧が使用されているため、電力消費量の削減が図り難いという問題もある。
【０００７】
さらに、大型の駐車場、倉庫、工場等において、細霧冷房設備等の冷房設備を設置する場合には、レースウェイとは別にその配管を配設するスペースが必要となり、配管工事に手間が掛かると共に、外観を損ねる虞があるという問題もある。
【０００８】
本発明は、上記した課題を解決すべくなされたものであり、取り付け作業の簡素化及び施工コストの低減化を図ると共に、室内の高さを十分に確保することのできるＬＥＤ照明取付構造を提供することを目的とするものである。
【課題を解決するための手段】
【０００９】
上記した目的を達成するため、本発明に係るＬＥＤ照明取付構造は、建築物の天井スペースに配設されるレースウェイの下面に沿うように面状のＬＥＤ照明モジュールを所定間隔で取り付けることを特徴とする。
【００１０】
また、本発明に係るＬＥＤ照明取付構造において、前記レースウェイは、開口面が下方を向くように取り付けられる逆樋状のレースウェイ本体と、該開口面を閉塞可能なように該レースウェイ本体に着脱可能に取り付けられる蓋部材と、を備え、前記ＬＥＤ照明モジュールは、前記蓋部材の下面側に貼付されるのが好ましい。
【００１１】
また、本発明に係るＬＥＤ照明取付構造は、前記蓋部材と、該蓋部材に貼付される前記ＬＥＤ照明モジュールと、該ＬＥＤ照明モジュールに電気的に接続されると共に前記蓋部材を貫通する電線と、該蓋部材の裏面側において該電線の先端に接続されるコネクタと、が予め組み付けられてユニット化されるのが好ましい。
【００１２】
また、本発明に係るＬＥＤ照明取付構造において、前記ＬＥＤ照明モジュールは金属板から成る基板の表面に複数のＬＥＤチップを実装したチップオンボード方式により形成されているのが好ましい。
また、本発明に係るＬＥＤ照明取付構造において、前記ＬＥＤ照明モジュールの表面側は防水性を有する樹脂によりコーティングされているのが好ましい。
【００１３】
また、本発明に係るＬＥＤ照明取付構造は、前記基板の少なくとも裏面を密着させた状態で該基板を収容可能な金属製ケースを備え、前記ＬＥＤ照明モジュールは該金属製ケースを介して前記レースウェイに取り付けられるのが好ましい。
【００１４】
また、本発明に係るＬＥＤ照明取付構造において、前記金属製ケースには、該金属製ケースに収容された前記ＬＥＤ照明モジュールの表面側を覆うカバーを取り付け可能な係合部が設けられているのが好ましい。
【００１５】
また、本発明に係るＬＥＤ照明取付構造において、複数の前記ＬＥＤ照明モジュールを有するエリア毎に電源装置を設け、該電源装置は直流５０Ｖ以下の電圧に変換して前記同一エリア内の前記各ＬＥＤ照明モジュールに電力を供給するように構成されているのが好ましい。
【００１６】
また、本発明に係るＬＥＤ照明取付構造において、前記エリアは、複数の前記ＬＥＤ照明モジュールを有する少なくとも１つのブロックを有し、前記電源装置は該ブロック毎に照度調整可能な手段を備えているのが好ましい。
【００１７】
また、本発明に係るＬＥＤ照明取付構造において、前記ＬＥＤ照明モジュールはそれぞれ定電流回路を備えているのが好ましい。
【００１８】
また、本発明に係るＬＥＤ照明取付構造において、前記蓋部材の下面側には平行な２本のレールが突設され、該各レールの間に前記ＬＥＤ照明モジュールが挿入可能となっていても良い。
【００１９】
また、本発明に係るＬＥＤ照明取付構造において、細霧冷房装置の配管を前記レースウェイ本体の内部に配設し、該配管に接続される噴霧ノズルを前記蓋部材に貫設しても良い。
【発明の効果】
【００２０】
本発明によれば、簡単な施工で且つ十分な照度を確保することができるため、照明器具の工期の短縮化を図ると共に、施工コストの低減化を図ることができる等、種々の優れた効果を得ることができる。
【図面の簡単な説明】
【００２１】
【図１】本発明の実施の形態に係るＬＥＤ照明取付構造を示す斜視図である。
【図２】本発明の実施の形態に係るＬＥＤ照明取付構造を示す断面図である。
【図３】本発明の実施の形態に係るＬＥＤ照明取付構造におけるＬＥＤ照明モジュールを示す平面図である。
【図４】本発明の実施の形態に係るＬＥＤ照明取付構造におけるＬＥＤ照明モジュールを示す側面図である。
【図５】本発明の実施の形態に係るＬＥＤ照明取付構造を採用した建築物において照度分布を測定した結果を示す平面図である。
【図６】本発明の実施の形態に係るＬＥＤ照明取付構造の電源供給回路を示す図である。
【図７】本発明の実施の形態に係るＬＥＤ照明取付構造の蓋部材の変形例を示す断面図である。
【図８】本発明の実施の形態に係るＬＥＤ照明取付構造の変形例を示す下面図である。
【発明を実施するための形態】
【００２２】
以下、図面を参照しつつ、本発明の実施の形態に係るＬＥＤ照明取付構造について説明する。ここで、図１は本発明の実施の形態に係るＬＥＤ照明取付構造を示す斜視図、図２は本発明の実施の形態に係るＬＥＤ照明取付構造を示す断面図、図３は本発明の実施の形態に係るＬＥＤ照明取付構造におけるＬＥＤ照明モジュールを示す平面図、図４は本発明の実施の形態に係るＬＥＤ照明取付構造におけるＬＥＤ照明モジュールを示す側面図、図５は本発明の実施の形態に係るＬＥＤ照明取付構造を採用した建築物において照度分布を測定した結果を示す平面図、図６は本発明の実施の形態に係るＬＥＤ照明取付構造の電源供給回路を示す図である。なお、以下の説明では、本発明に係るＬＥＤ照明取付構造を駐車場の照明設備に適用した場合について例示する。
【００２３】
本発明の実施の形態に係るＬＥＤ照明取付構造は、駐車場１０（図５参照）の天井スペースに配設されるレースウェイ１１の下面に沿うようにＬＥＤ照明モジュール１３を所定間隔で取り付けることを特徴とするものである。
【００２４】
レースウェイ１１は、例えば溶融亜鉛めっき鋼板等の金属板から構成されており、吊金物（図示省略）を介して天井に吊設される。レースウェイ１１は、開口面１２が下方を向くように取り付けられる逆樋状のレースウェイ本体１４と、開口面１２を閉塞可能なようにレースウェイ本体１４に着脱可能に取り付けられる扁平な樋状の蓋部材１５と、を備えている。本実施の形態では、レースウェイ本体１４が４ｍの長さを有し、蓋部材１５が２ｍの長さを有しており、１本のレースウェイ本体１４に２枚の蓋部材１５が取り付けられるようになっている。
【００２５】
ＬＥＤ照明モジュール１３は、例えばアルミニウム等の金属板から成る細長い形状の基板１６の表面に複数（本実施の形態では、２４個）のＬＥＤチップ１７を実装したチップオンボード方式により形成されている。ＬＥＤ照明モジュール１３の基板１６の長手方向両端部にはそれぞれプラス端子１８ａ，１９ａ及びマイナス端子１８ｂ，１９ｂが配設されている。
【００２６】
基板１６のいずれか一方の端部に配設されているプラス端子１８ａ及びマイナス端子１８ｂには、それぞれ、電線２０が電気的に接続されている。この電線２０は蓋部材１５を貫通し、蓋部材１５の裏面側において電線２０の先端にコネクタ２１が接続されている。このコネクタ２１はレースウェイ１１内に配線されるケーブル２２に着脱自在に接続される。
【００２７】
また、基板１６の他方の端部に配設されているプラス端子１９ａ及びマイナス端子１９ｂは、例えば複数のＬＥＤ照明モジュール１３を直列に連続して接続させる場合に使用されるものであり、本実施の形態では、これらのプラス端子１９ａ及びマイナス端子１９ｂに電線２０は接続されていない。
【００２８】
ＬＥＤ照明モジュール１３において、基板１６の表面の複数のＬＥＤチップ１７と、電線２０が接続された後の一方の端部のプラス端子１８ａ及びマイナス端子１８ｂと、他方の端部のプラス端子１９ａ及びマイナス端子１９ｂと、は防水性を有する樹脂によりコーティングされている。
【００２９】
ＬＥＤ照明モジュール１３は、例えばアルミニウム等の金属製ケース２３に収容可能に設けられ、この金属製ケース２３は導電性接着剤により蓋部材１５に貼付される。金属製ケース２３は、基板１６の少なくとも裏面１６ａを密着させた状態で基板１６を収容可能な偏平な細長い溝形状を有し（例えば、長さ１８５ｍｍ、幅２２ｍｍ、高さ６ｍｍ程度）、ＬＥＤ照明モジュール１３がいずれか一方の端部から挿入可能なように形成されている。なお、金属製ケース２３は蓋部材１５に対して必ずしも接着される必要はなく、ビス止め等、他の方法で固定されても良い。
【００３０】
図６に示されているように、ＬＥＤ照明モジュール１３に電力を供給する電源装置３１が設けられている。電源装置３１は、ＬＥＤ照明モジュール１３が設置される駐車場の複数のエリア毎に分散して配置されており、エリア毎にケーブル２２等が色分けされている。図６では、それぞれ３個のＬＥＤ照明モジュール１３が設けられた２つブロック３２ａ，３２ｂを有するエリアに電力を供給する電源装置３１が示されている。この電源装置３１は直流４８Ｖの電圧に変換して同一エリア内の各ＬＥＤ照明モジュール１３に電力を供給するように構成されており、ブロック３２ａ，３２ｂ毎に照度調整可能な手段３３ａ，３３ｂを備えている。また、各ＬＥＤ照明モジュール１３はそれぞれ定電流回路３４を備えており、これにより、電路の電圧降下により照度が低下するのを防止することができるようになっている。なお、電源装置３１は、図６に示すように直流４８Ｖの電圧に変換するタイプのものに限定する趣旨ではなく、例えば、直流１２Ｖ，２４Ｖ等、直流５０Ｖ以下の弱電に変換するタイプのものであれば、他のタイプのものであっても良い。
【００３１】
金属製ケース２３の両側部には、鍔状の係合部２４が突設されており、係合部２４は金属製ケース２３の長手方向に沿って直線状に形成されている。この係合部２４には、ＬＥＤ照明モジュール１３の表面側を覆うようにカバー２５（図４中に二点鎖線で示す）が係脱可能となっており、カバー２５は、金属製ケース２３のいずれか一方の端部から係合部２４に挿入されることにより、金属製ケース２３に装着されるようになっている。
【００３２】
カバー２５は、例えば乳白色の樹脂製の湾曲面２６を有しており、この湾曲面２６の内面にフィルムを貼付したり或いは粗面加工を施したりすることで、基板１６上のＬＥＤチップ１７から発せられた光が拡散されるようになっている。なお、カバー２５は施工現場の状況に応じて取り付けられ、本実施の形態では、取り付けられていない。
【００３３】
上記した構成を備えたＬＥＤ照明取付構造を駐車場１０の照明設備として施工する場合には、先ず、ＬＥＤ照明モジュール１３を収容した金属製ケース２３を蓋部材１５に貼付すると共に、蓋部材１５を貫通して該蓋部材１５の裏面側において先端にコネクタ２１を取り付けた電線２０を一方の端部のプラス端子１８ａ及びマイナス端子１８ｂに接続し、さらにＬＥＤ照明モジュール１３の表面側を防水性の樹脂によりコーティングすることで、予めユニット化されたＬＥＤ照明ユニット３０を準備しておく。
【００３４】
施工現場の駐車場１０では、車両の走行路に沿って、所定本数のレースウェイ本体１４を接続し、その開口面１２を下方に向けた姿勢で前記吊金物を介して天井に吊設する。そして、ＬＥＤ照明ユニット３０をレースウェイ本体１４の下面に沿って取り付け、その蓋部材１５によって開口面１２を閉塞する。
【００３５】
また、この時、レースウェイ１１の内部にケーブル２２を配線し、このケーブル２２に対して各ＬＥＤ照明モジュール１３のコネクタ２１を介して電線２０を接続する。これにより、駐車場１０には、車両の走行路に沿って、ＬＥＤ照明モジュール１３が２ｍピッチで取り付けられる。
【００３６】
図５はこのようにＬＥＤ照明モジュール１３を２ｍピッチで配置し、床上から２．５ｍの高さの天井スペースに取り付けた駐車場１０において、床上での照度分布を測定した結果を示している（図５中の数字は照度（ルクス、略記号：lx）を示す）。この測定結果によれば、車両の走行路上において１１〜１９ルクス程度の照度が確保され、車両の駐車領域上において３〜７ルクス程度の照度が確保されている。これらの照度の値は、いずれも駐車場における照度の基準値を上回っている。
【００３７】
上記したように本発明の実施の形態に係るＬＥＤ照明取付構造によれば、照明器具をレースウェイ１１に取り付けるために専用の金具等を必要とすることがなく、簡単な施工で十分な照度を確保することができる。したがって、照明設備の取り付け作業の工期の短縮化を図ることができると共に、施工コストの低減化を図ることができる。
【００３８】
また、予めユニット化されたＬＥＤ照明ユニット３０を使用することにより、施工現場における作業工数を削減することができるため、工期の短縮化及び施工コストの低減化を一段と促進することができる。
【００３９】
また、本発明の実施の形態に係るＬＥＤ照明取付構造によれば、照明器具のハウジングや反射板等を取り付ける必要がなく、レースウェイの下方から突出する高さを６ｍｍ程度と小さく抑えることができるため、レースウェイ１１をあまり高い位置に取り付けなくても室内の高さを十分に確保することができる。したがって、駐車場内において利用者に圧迫感を感じさせることがなく、また、車両に積載した荷物等が照明器具のハウジングや反射板等に干渉する危険性もない。
【００４０】
また、ＬＥＤ照明モジュール１３の表面側が防水性を有する樹脂によりコーティングされているため、ＬＥＤ照明モジュール１３を含めて駐車場全域を高圧洗浄することで駐車場１０の清掃を簡単に行うことができるため、清掃作業の簡素化及び効率化を図ることができ、保守点検コストの低減化を図ることができる。
【００４１】
また、金属製ケース２３を介してＬＥＤ照明モジュール１３をレースウェイ１１に取り付けることにより、金属製ケース２３や基板１６及びレースウェイ１１によりＬＥＤチップ１７から発生した熱を十分に放出させることができるため、ＬＥＤ照明モジュール１３の耐久性を高めることができる。
【００４２】
また、金属製ケース２３に係合部２４を設けることにより、施工現場の状況に応じてカバー２５を任意に装着させることができるため、本発明の用途の拡大化を図ることができる。
【００４３】
さらに、照明器具の電源としては、ＤＣ５０Ｖ以下の弱電を使用しているため、電力消費量の削減を図ることができると共に、照度調整機能を設けることもできる。
【００４４】
なお、図７及び図８に示すように、蓋部材１５の下面側に平行な２本のレール３５ａ，３５ｂを突設し、各レール３５ａ，３５ｂの間にＬＥＤ照明モジュールを挿入可能に構成してもよい。この場合、ＬＥＤ照明モジュール１３を各レール３５ａ，３５ｂの間に挿入して蓋部材１５の下面に接着することで、ＬＥＤ照明モジュール１３の位置決め及び取り付け作業をより簡単且つ確実に行うことができる。
【００４５】
また、この場合、駐車場を冷房するために細霧冷房装置（図示せず）が設置される場合には、細霧冷房装置用の配管（図示せず）をレースウェイ本体１４の内部に配設し、該配管に接続される噴霧ノズル３６を蓋部材１５に貫設してもよい（図８参照）。この場合、レースウェイ本体１４の内部を配管スペースに利用することで、配管工事の簡素化を図ると共に、意匠性を高めることができる。
【００４６】
なお、上記した本発明の実施の形態では、本発明に係るＬＥＤ照明取付構造を駐車場１０の照明設備に適用した場合について説明したが、これは単なる例示に過ぎず、本発明は、倉庫、冷凍倉庫、工場、店舗等、他の用途の建築物に適用することが可能であることは言う迄もない。
【００４７】
また、上記した本発明の実施の形態の説明は、本発明に係るＬＥＤ照明取付構造における好適な実施の形態を説明しているため、寸法や材質等において技術的に好ましい種々の限定を付している場合もあるが、本発明の技術範囲は、特に本発明を限定する記載がない限り、これらの態様に限定されるものではない。
【００４８】
さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００４９】
１０    駐車場（建築物）
１１    レースウェイ
１２    開口面
１３    ＬＥＤ照明モジュール
１４    レースウェイ本体
１５    蓋部材
１６    基板
１７    ＬＥＤチップ
２０    電線
２１    コネクタ
２３    金属製ケース
２４    係合部
２５    カバー
３１    電源装置
３２ａ，３２ｂ  ブロック
３３ａ，３３ｂ  照度調整可能な手段
３４    定電流回路
３５ａ，３５ｂ  レール
３６    噴霧ノズル
【図１】
2015173090.tif 000003
【図２】
2015173090.tif 000004
【図３】
2015173090.tif 000005
【図４】
2015173090.tif 000006
【図５】
2015173090.tif 000007
【図６】
2015173090.tif 000008
【図７】
2015173090.tif 000009
【図８】
2015173090.tif 000010